(57)【特許請求の範囲】
【請求項１】
片流れ屋根の棟頂部に対応した断面山型を成し、棟頂部に形成された連通孔を覆うよう設けられ、屋内と屋外とを通気可能とする換気装置において、屋根面側に配される傾斜部と壁面側に配される垂下部により断面山型を成し、傾斜部と垂下部の両方に屋内と屋外とを通気可能とする通気路を備えると共に、断面山型の頂角を二等分する仮想線に対して非対称に形成し、傾斜部の通気路および垂下部の通気路に突出するよう邪魔板を設けると共に、垂下部の通気路に設ける邪魔板の数を傾斜部の通気路に設ける邪魔板の数より多くして成ることを特徴とする換気装置。
【請求項２】
傾斜部の軒棟方向の長さを垂下部の上下方向の長さよりも長く形成して成ることを特徴とする請求項１に記載の換気装置。
【請求項３】
垂下部の通気路の防水性能を傾斜部の通気路の防水性能よりも高水準として成ることを特徴とする請求項１又は２に記載の換気装置。
【請求項４】
傾斜部と垂下部とを備えて片流れ屋根の棟頂部に対応した断面山型を成した換気装置を形成し、傾斜部と垂下部の両方に屋内と屋外とを通気可能とする通気路を備えると共に、断面山型の頂角を二等分する仮想線に対して非対称に形成し、傾斜部の通気路および垂下部の通気路に突出するよう邪魔板を設けると共に、垂下部の通気路に設ける邪魔板の数を傾斜部の通気路に設ける邪魔板の数より多くし、棟頂部に形成された連通孔を覆うように片流れ屋根の棟頂部に換気装置を設けると共に傾斜部を屋根面側に、垂下部を壁面側にそれぞれ配し、上記通気口と連通孔とを通じて屋内と屋外とを通気可能として成ることを特徴とする片流れ屋根の換気構造。
【発明の詳細な説明】
【技術分野】
【０００１】
本発明は、片流れ屋根における換気装置及び換気構造に関するものである。
【背景技術】
【０００２】
従来より、一方向にだけ勾配のある片流れ屋根が形成されているが、片流れ屋根の棟部には換気装置を設けて小屋裏の換気を行うようにしている。例えば、特許文献１には、棟板１と水切り板２とを備えた換気装置Ａを用いた換気構造が記載されている。図８に示すように、棟板１は起立部３と傾斜部５とを備えて形成されており、傾斜部５は起立部３の上端から斜め下方に向けて突設されている。また、傾斜部５には換気口としてがらり４が形成されている。水切り板２は傾斜部５の下側に設けられており、水切り板２の上面と傾斜部５の下面との間は通気路７として形成されている。また、水切り板２には通気路７と連通する通気口６が形成されている。
【０００３】
そして、上記の換気装置Ａが片流れ屋根の棟部を跨るように配設されることにより、片流れ屋根の棟部における換気構造が形成される。ここで、換気装置Ａは、起立部３が破風板９の外面に沿って配置され、傾斜部５及び水切り板２が屋根材１１の上方に配置される。これにより、がらり４と通気路７及び通気口６により小屋裏と屋根外部とを通気可能にして換気を行うことができるものである。
【先行技術文献】
【特許文献】
【０００４】
【特許文献１】特許第３２８０６５７号公報
【発明の概要】
【発明が解決しようとする課題】
【０００５】
しかし、上記の換気構造では、屋根面側に配される傾斜部５にしか換気口が設けられておらず、換気を充分に行なうには、大型化するか、棟全長に設けるかしなければならない。そのため、防水性の確保や施工に手間が掛かるとともに、コストアップにも繋がるものであった。また、風雨が強い時には、小屋裏と換気装置、換気装置と屋外の圧力差（内外圧力差）が生じやすくなり、雨水が小屋裏内に侵入するおそれがあった。
【０００６】
本発明は上記の点に鑑みてなされたものであり、換気効率と防水性を向上させることができる片流れ屋根の換気装置及び換気構造を提供することを目的とするものである。
【課題を解決するための手段】
【０００７】
本発明の請求項１に係る換気装置Ａは、片流れ屋根の棟頂部に対応した断面山型を成し、棟頂部に形成された連通孔４７を覆うよう設けられ、屋内と屋外とを通気可能とする換気装置Ａにおいて、屋根面側に配される傾斜部１４と壁面側に配される垂下部１５により断面山型を成し、傾斜部１４と垂下部１５の両方に屋内と屋外とを通気可能とする通気路３８、４０を備えると共に、断面山型の頂角を二等分する仮想線に対して非対称に形成し、傾斜部１４の通気路３８および垂下部１５の通気路４０に突出するよう邪魔板２４を設けると共に、垂下部１５の通気路４０に設ける邪魔板２４の数を傾斜部１４の通気路３８に設ける邪魔板２４の数より多くして成ることを特徴とするものである。
【０００８】
本発明の請求項２に係る換気装置Ａは、請求項１において、傾斜部１４の軒棟方向の長さを垂下部１５の上下方向の長さよりも長く形成して成ることを特徴とするものである。
【０００９】
本発明の請求項３に係る換気装置Ａは、請求項１又は２において、垂下部１５の通気路４０の防水性能を傾斜部１４の通気路３８の防水性能よりも高水準として成ることを特徴とするものである。
【００１１】
本発明の請求項４に係る片流れ屋根の換気構造は、傾斜部１４と垂下部１５とを備えて片流れ屋根の棟頂部に対応した断面山型を成した換気装置Ａを形成し、傾斜部１４と垂下部１５の両方に屋内と屋外とを通気可能とする通気路３８、４０を備えると共に、断面山型の頂角を二等分する仮想線に対して非対称に形成し、傾斜部１４の通気路３８および垂下部１５の通気路４０に突出するよう邪魔板２４を設けると共に、垂下部１５の通気路４０に設ける邪魔板２４の数を傾斜部１４の通気路３８に設ける邪魔板２４の数より多くし、棟頂部に形成された連通孔４７を覆うように片流れ屋根の棟頂部に換気装置Ａを設けると共に傾斜部１４を屋根面側に、垂下部１５を壁面側にそれぞれ配し、上記通気口３８、４０と連通孔４７とを通じて屋内と屋外とを通気可能として成ることを特徴とするものである。
【発明の効果】
【００１２】
請求項１の発明では、傾斜部と垂下部の両方に通気口を設けることにより、小屋裏と屋根外部との圧力差が生じにくくなり、換気効率と防水性を向上させることができるものである。また、両方に通気路を設けていても、非対称に形成されているために、屋根面側と壁面側とを逆に取り付けてしまうことを防止できるものである。また、邪魔板の数が多い垂下部の防水性能を傾斜部よりも高水準にすることができ、壁面側の防水性を確保することができるものである。更に、邪魔板の数が多い側を壁面側に施工すれば良く、目印になり、施工を容易に行うことができるものである。
【００１３】
請求項２の発明では、片流れ屋根の棟頂部形状によって連通孔が軒側に位置ずれしていても、傾斜部によって確実に連通孔を覆うことができ、棟頂部形状の異なる多くの施工物件にも容易に対応することができるものである。
【００１４】
請求項３の発明では、壁面側の防水性を確保することができるものである。すなわち、屋根面に吹き付けられる風雨は屋根面に沿って吹き上がるが、屋根面の上方に逃げ場がある。これに対し、壁面に吹き付けられる風雨は逃げ場が無く壁面に沿って吹き上がる。立地条件により差異はあるが、壁面側（垂下部）の開口に吹き付ける風雨の方がより強くなる可能性がある。この場合であっても、請求項３の発明では防水性を確保することができる。
【００１６】
請求項４の発明では、傾斜部と垂下部の両方に通気口を設けることにより、小屋裏と屋根外部との圧力差が生じにくくなり、換気効率と防水性を向上させることができるものである。また、両方に通気路を設けていても、非対称に形成されているために、屋根面側と壁面側とを逆に取り付けてしまうことを防止できるものである。また、邪魔板の数が多い垂下部の防水性能を傾斜部よりも高水準にすることができ、壁面側の防水性を確保することができるものである。更に、邪魔板の数が多い側を壁面側に施工すれば良く、目印になり、施工を容易に行うことができるものである。
【図面の簡単な説明】
【００１７】
【図１】本発明の実施の形態の一例を示す断面図である。
【図２】同上の換気装置を示し、（ａ）（ｂ）は側面図、（ｃ）は正面図、（ｄ）は背面図である。
【図３】同上の換気装置を示す分解斜視図である。
【図４】同上の換気装置を示す分解斜視図である。
【図５】同上の取付金具を示し、（ａ）は側面図、（ｂ）は平面図である。
【図６】同上の換気装置を示し、（ａ）は側面図、（ｂ）は一部の拡大した断面図である。
【図７】同上の棟部の一部を示す断面図である。
【図８】従来例を示す断面図である。
【発明を実施するための形態】
【００１８】
以下、本発明を実施するための形態を説明する。
【００１９】
換気装置Ａは複数の部材を組み合わせて形成されている。これらの部材は塗装鋼板などの耐食性の高い金属で形成されている。具体的には、図２（ａ）〜（ｄ）に示すように、装置本体１０、固定部材１１、防水部材１２、増設部材３２などを備えて換気装置Ａが形成されている。
【００２０】
装置本体１０は平板状の傾斜片１０ａと平板状の垂下片１０ｂとで断面山型に形成されている。垂下片１０ｂは鉛直方向と略平行に形成されており、傾斜片１０ａは垂下片１０ｂの上端から斜め下方に向かって下り傾斜するように形成されている。また、傾斜片１０ａの前端（換気装置Ａを棟頂部に設置したときに軒側に位置する端部）から後端（換気装置Ａを棟頂部に設置したときに棟側に位置する端部）までの寸法は垂下片１０ｂの上端から下端までの寸法よりも長く形成されている。また、傾斜片１０ａの前端には裏面側（換気装置Ａを棟頂部に設置したときの建物側）に略垂直に突設された係止片１６が形成されており、係止片１６の下端には断面Ｕ字状の係止部１７が設けられている。さらに、垂下片１０ｂの下端にも裏面側に略垂直に突設された係止片１８が形成されており、係止片１８の先端には断面倒Ｕ字状の係止部１９が設けられている。
【００２１】
固定部材１１は、図３、４に示すように、平板状のベース部２０の前端に表面側（換気装置Ａを棟頂部に設置したときの建物と反対側）に折り返し屈曲して固定片２１を形成すると共にベース部２０の後端に表面側に突出する通気片２２が形成されている。また、通気片２２の先端にはベース部２０と対向するように押さえ片２３が設けられている。固定片２１の後端には表面側に突出する断面倒Ｌ字状の邪魔板２４（２４ａ）が形成されている。また、通気片２２には厚み方向に貫通し、横方向に長い通気孔２５が形成されている。
【００２２】
防水部材１２は、図３、４に示すように、平板状の取付片２６の前端と後端とに裏面側に突出する断面Ｌ字状の邪魔板２４（２４ｂ、２４ｃ）が形成されている。
【００２３】
取付金具１３は図３、４、５に示すように、、平板状の差し込み片２９の後端に表面側に突出する断面倒Ｌ字状の支持片３０を形成し、支持片３０の前端に裏面側に突出する被係止片３１が形成されている。
【００２４】
増設部材３２は、図４に示すように、平板状の延設片３３と、延設片３３の上端に表面側に突出する断面倒Ｌ字状の邪魔板２４（２４ｄ）が形成されている。
【００２５】
そして、傾斜片１０ａの前端部に固定部材１１と防水部材１２とを設けることによって、換気装置Ａの傾斜部１４を形成することができる。また、垂下片１０ｂの下端部に上記とは別の固定部材１１と防水部材１２及び増設部材３２を設けることによって、換気装置Ａの垂下部１５を形成することができる。尚、傾斜部１４の固定部材１１と防水部材１２とをそれぞれ固定部材１１ａ、防水部材１２ａとし、垂下部１５の固定部材１１と防水部材１２とをそれぞれ固定部材１１ｂ、防水部材１２ｂとする。
【００２６】
固定部材１１ａ及び防水部材１２ａを傾斜片１０ａに取り付けるにあたっては、まず、ベース部２０と固定片２１との間に差し込み片２９を差し込んで固定部材１１ａに取付金具１３を取り付ける。取付金具１３は固定部材１１ａの長手方向（片流れ屋根の棟部と平行な方向）に沿って複数個設けることができる。また、取付金具１３の被係止片３１は固定部材１１ａの押さえ片２３よりも前側（固定片２１側）に位置している。次に、固定部材１１ａに取り付けた取付金具１３の被係止片３１を傾斜片１０ａの係止部１７に差し込んで係止する。次に、防水部材１２ａの取付片２６の表面を傾斜片１０ａの裏面に当接させて防水部材１２ａを傾斜片１０ａの裏面側に配置する。次に、上記固定部材１１ａの押さえ片２３の表面を上記防水部材１２ａの取付片２６の裏面に当接させる。そして、取付金具１３の支持片３０と傾斜片１０ａとをリベット留めなどで固定すると共に取付片２６と押さえ片２３と傾斜片１０ａとをリベット留めなどで固定する。このようにして固定部材１１ａ及び防水部材１２ａを傾斜片１０ａに取り付けることができる。
【００２７】
図６に示すように、傾斜部１４を構成する上記の傾斜片１０ａの係止片１６の下端と、固定部材１１ａの固定片２１との間は屋根面側の換気口３７として形成されている。また、防水部材１２ａの後側の邪魔板２４ｃから通気孔２５を通じて換気口３７に至るまでが屋根面側の通気路３８として形成されている。この屋根面側の通気路３８は邪魔板２４ａ、２４ｂ、２４ｃにより上下にジグザグに形成され、邪魔板２４ａ、２４ｂ、２４ｃにより雨水の吹き込みを防止している。また、ベース部２０と固定片２１の前端部は換気口３７から外側（屋根面側の通気路３８と反対側）に突出しており、このベース部２０の前端部には複数の水抜き孔５９が形成されている。
【００２８】
また、上記とは別の固定部材１１ｂ、防水部材１２ｂ及び増設部材３２を垂下片１０ｂに取り付けるにあたっては、まず、ベース部２０と固定片２１との間に差し込み片２９を差し込んで固定部材１１ｂに取付金具１３を取り付ける。取付金具１３は固定部材１１ｂの長手方向（片流れ屋根の棟部と平行な方向）に沿って複数個設けることができる。また、取付金具１３の被係止片３１は固定部材１１ｂの押さえ片２３よりも下側（固定片２１側）に位置している。次に、固定部材１１ｂに取り付けた取付金具１３の被係止片３１を垂下片１０ｂの係止部１９に差し込んで係止する。次に、防水部材１２ｂの取付片２６の表面を垂下片１０ｂの裏面に当接させて防水部材１２ｂを垂下片１０ｂの裏側に配置する。次に、上記固定部材１１ｂの押さえ片２３の表面を上記防水部材１２ｂの取付片２６の裏面に当接させる。そして、取付金具１３の支持片３０と垂下片１０ｂとをリベット留めなどで固定すると共に取付片２６と押さえ片２３と垂下片１０ｂとをリベット留めなどで固定する。さらに、増設部材３２の延設片３３の下部の表面を上記固定部材１１ｂのベース部２０の裏面に当接し、延設片３３とベース部２０とをリベット留めなどで固定する。このようにして固定部材１１ｂ及び防水部材１２ｂを垂下片１０ｂに取り付けると共に増設部材３２を固定部材１１ｂに取り付けることができる。
【００２９】
図６に示すように、垂下部１５を構成する上記の垂下片１０ｂの係止片１８の先端と、固定部材１１ｂの固定片２１との間は壁面側の換気口３９として形成されている。また、固定部材１１ｂに取り付けた増設部材３２の邪魔板２４ｄから通気孔２５を通じて換気口３９に至るまでが壁面側の通気路４０として形成されている。この壁面側の通気路４０は邪魔板２４ａ、２４ｂ、２４ｃ、２４ｄにより表裏にジグザグに形成され、邪魔板２４ａ、２４ｂ、２４ｃ、２４ｄにより雨水の吹き込みを防止している。また、上記ベース部２０と固定片２１の先端は換気口３９から下側（壁面側の通気路４０と反対側）に突出しており、下端部には複数の水抜き孔（図示省略）が形成されている。
【００３０】
さらに、傾斜片１０ａと垂下片１０ｂの裏面にポリエチレン発泡体等で形成される防露材３５を設ける。また、傾斜部１４の固定部材１１ａの裏面と垂下部１５の固定部材１１ｂの裏面には、予め防水テープ３６を貼り付けておいても良い。このようにして換気装置Ａを形成することができる。本発明で用いる換気装置Ａは、傾斜部１４の軒棟方向の長さを垂下部１５の上下方向の長さよりも長く形成することによって、断面山型の頂角（傾斜部１４と垂下部１５の間の角）を二等分する仮想線（図１、６に一点鎖線で示す）に対して非対称に形成したものである。
【００３１】
次に、上記の換気装置Ａを用いた片流れ屋根の換気構造について説明する。
【００３２】
図１に示すように、柱４１の上端には棟木４２が設けられており、棟木４２の上側には垂木４３が斜め下方に向かって長く設けられている。垂木４３の上には野地板４４が設けられていると共に野地板４４の上面（表面）には防水シート等の下葺き材４５が敷設されている。さらに、下葺き材４５の上に複数の屋根材４６が敷設されている。上記野地板４４の棟側端部には厚み方向に貫通する連通孔４７が形成されている。また、最も棟側に位置する屋根材４６と連通孔４７の間には水切り板４８が設けられている。また、棟木４２の壁側面（屋外側面）と垂木４３の棟側端面とにわたって破風下地４９が取り付けられている。破風下地４９は棟部の長手方向の全長にわたって設けられている。また、破風下地４９の屋外側面の上部には調整笠木５０が棟部の長手方向の全長にわたって設けられている。この調整笠木５０の厚みは後述の化粧破風板５１の厚みに応じて調整される。また、調整笠木５０の上下方向の取り付け位置は上記換気装置Ａの取り付け位置によって調整される。また、調整笠木５０の屋外面と破風下地４９の屋外面と垂木４３の屋外面及び柱４１の屋外面にわたって上記と同様の下葺き材５２が設けられている。
【００３３】
そして、上記の換気装置Ａは最も棟側に配置された屋根材４６と調整笠木５０とにわたって棟部を跨ぐようにして取り付けられる。屋根面側においては、屋根材４６の上に屋根面側の換気口３７から突出する固定片２１をビス等の固定具５３で固定する。また、壁面側においては、垂下片１０ｂの外面からベース部２０を貫通して調整笠木５０までビス等の固定具５３を打入することにより固定する。なお、屋根面側、壁面側の何れにおいても、取付金具１３を介して固定することで、より強固に固定することができる。また、固定部材１１ａの防水テープ３６は屋根材４６の上面（表面）に密着させると共に固定部材１１ｂの防水テープ３６は調整笠木５０を覆う下葺き材５２の表面に密着させる。この後、調整笠木５０の下側において、破風下地４９の屋外側面に下葺き材５２を介して化粧破風板５１を棟部の全長にわたって取り付ける。この場合、調整笠木５０の下端と化粧破風板５１の上端との境界部分が壁面側の換気口３９から突出する固定片２１により覆われる。このようにして連通孔４７を覆うと共に傾斜部１４を屋根面側に、垂下部１５を壁面側にそれぞれ配して換気装置Ａを片流れ屋根の棟頂部に設けることができる。
【００３４】
尚、上記の換気装置Ａは棟頂部の長手方向の一部に設けられるものであって、換気装置Ａが設けられない部分には、図７に示すように、換気機能のない通常の片流れ屋根用の棟包み５５が取り付けられる。この場合、屋根材４６と棟包み５５の間には屋根面側の通気路３８の厚みとほぼ同等の厚みを有する笠木５６が設けられる。また、調整笠木５０と棟包み５５の間には壁面側の通気路４０の厚みとほぼ同等の厚みを有する笠木５７が設けられる。また、柱４１の屋外側には壁材などが取り付けられて外壁が形成される。
【００３５】
上記のように形成される本発明の片流れ屋根の換気構造では、屋根面側において、屋根面側の換気口３７から屋根面側の通気路３８と連通孔４７とを通じて小屋裏５８にまで至る換気通路が形成される。また、壁面側において、壁面側の換気口３９から壁面側の通気路４０と連通孔４７とを通じて小屋裏５８にまで至る換気通路が形成される。このように屋根面側と壁面側の両側に換気口３７、３９を設けることで、屋外と屋内（小屋裏５８）との内外圧力差を緩和することができ、空気の流通がスムーズになって換気効率を向上させることができる。また、屋根材４６の上側に配設される傾斜部１４の傾斜方向（軒棟方向）の寸法を垂下部１５の上下方向の寸法よりも長く形成するので、雨水の屋根面の駆け上がり距離を長く確保することができ、防水性を向上させることができる。また、屋根面側の通気路３８よりも壁面側の通気路４０に多くの邪魔板２４ａ〜２４ｄを設けたので、壁面側の通気路４０を通じて雨水が吹き込むのを防止することができ、防水性を向上させることができる。また、屋根面側の換気口３７と壁面側の換気口３９とは同じ高さ位置に設けるのが好ましい。この場合、換気口３７と３９とにおける圧力差が少なくなり、換気を換気口３７と３９とからバランス良く行うことができ、スムーズに換気を行うことができる。
【００３６】
尚、上記では傾斜部１４の傾斜方向の寸法を垂下部１５の上下方向の寸法よりも長く形成した場合について説明したが、逆に、垂下部１５の上下方向の寸法を傾斜部１４の傾斜方向の寸法よりも長く形成してもよい。この場合は、壁面側の通気路４０を長く形成することができ、壁面側の防水性を向上させることができる。また、化粧破風板５１の代わりに垂下部１５で、例えば、ベース部２０及び固定片２１を下方に延設して破風下地４９の屋外面を覆うことができ、化粧破風板５１を不要にすることができる。
【符号の説明】
【００３７】
Ａ  換気装置
１４  傾斜部
１５  垂下部
２４  邪魔板
３８  通気路
４０  通気路
４６  屋根材
４７  連通孔
【図１】
0005421759.tif 000002
【図２】
0005421759.tif 000003
【図３】
0005421759.tif 000004
【図４】
0005421759.tif 000005
【図５】
0005421759.tif 000006
【図６】
0005421759.tif 000007
【図７】
0005421759.tif 000008
【図８】
0005421759.tif 000009